(57)【要約】【課題】ＰＨＳ端末に接続先相手電話番号の再登録を不要とする接続方法および装置を提供すること。【解決手段】ＰＨＳ端末４１から識別記号および短縮番号からなる指定番号を発信するステップと、前記指定番号を受信した基地局４２では、この指定番号に対応する接続先相手の電話番号を予め記憶したメモリ１４から、前記対応する接続先相手の電話番号を読み出すステップと、この接続先相手の電話番号に前記ＰＨＳ端末４１を接続するステップとを備えるＰＨＳ接続方法。【選択図】  図１
2004289735.tif 000002
【特許請求の範囲】
【請求項１】
ＰＨＳ端末から識別記号および短縮番号からなる指定番号を発信するステップと、前記指定番号を受信した基地局では、この指定番号に対応する接続先相手の電話番号を予め記憶したメモリから、前記対応する接続先相手の電話番号を読み出すステップと、この接続先相手の電話番号に前記ＰＨＳ端末を接続するステップとを備えることを特徴とするＰＨＳ接続方法。
【請求項２】
登録された接続相手先の電話番号とＰＨＳ端末から発信される指定番号の対応関係を記憶するメモリと、
ＰＨＳ端末からの発信が、登録されている電話番号を指定した発信か否かを判断する電話番号選択手段と、
登録されている接続相手先の電話番号を回線ユニットへ通知する機能を有する発信制御手段とを有することを特徴とするＰＨＳ基地局装置。
【発明の詳細な説明】
【０００１】
【発明の属する技術分野】
本発明はＰＨＳ端末からの接続方法に関し、特に、相手方の電話番号を端末装置に記憶させることなく接続が可能な接続方法およびそれを実現するための基地局装置に関するものである。
【０００２】
【従来の技術】
図４はＰＨＳ基地局を中心とするＰＨＳシステムの構成を示すブロック図である。ＰＨＳ端末４１はＰＨＳ基地局４２と無線により通信を行う。また、ＰＨＳ基地局４２はＩ’回線１６により有線により交換機と結ばれている。従来のＰＨＳ基地局では、ＰＨＳ端末４１が発信した相手先電話番号を、そのままＩ’回線１６に発信する。
【０００３】
すなわち、従来のＰＨＳ基地局は、ＰＨＳ端末４１から発信された相手先電話番号を、そのまま発信するため、ＰＨＳ端末４１を使う者は相手先の電話番号を正確に知っている必要があった。このため従来はＰＨＳ端末４１に相手先の電話番号を登録しておき、ＰＨＳ端末４１に登録しておいた相手先を選択し発信していた。
【０００４】
【非特許文献１】
社団法人  電波産業界  発行「第二世代コードレス電話システム」標準規格ＲＣＲ  ＳＴＤ−２８、３．２版  平成１１年２月２日（改訂）
ｐ．３３５、ｐ．４２３−４２６
【０００５】
【非特許文献２】
社団法人  電信電話技術委員会  発行
ＴＴＣ標準  ＪＴ−Ｑ９３１−ｂ  ＰＨＳ公衆基地局−ディジタル網間
インターフェース−レイヤ  ３仕様  第５版  １９９９年４月２２日制定
ｐ．１４、８８−９１
【０００６】
【発明が解決しようとする課題】
しかしながら、ＰＨＳ端末を新たな機種等に取り替えた場合には、新たなＰＨＳ端末に相手先の電話番号を、改めて、再登録しなければならない。また、相手先電話番号を共通にする複数のＰＨＳ端末を使用する場合であっても、同じ相手先電話番号をすべての複数のＰＨＳ端末に登録しなければならないため、複数の人がＰＨＳ端末を共通の目的に使用する場合には、電話番号の登録作業が重複し、効率的ではなかった。
【０００７】
一般に、ＰＨＳ電話方式は携帯電話方式に比較して、１つの基地局のサービスエリアが小さいため、そのエリア内に存在する接続相手先の個数も限られている。特に、接続相手先として市役所あるいは水道局等の公共施設の個数は極めて限られた個数となるため、それらに接続する場合には、正規の電話番号により接続することは、必ずしも効率的ではない。
【０００８】
本発明は、上述の問題点を除去し、ＰＨＳ端末に相手方の電話番号を登録することなく、相手先に接続ができる方法およびＰＨＳ基地局を提供することを目的とするものである。
【０００９】
【課題を解決するための手段】
本発明のＰＨＳ接続方法は、ＰＨＳ端末から識別記号および短縮番号からなる指定番号を発信するステップと、前記指定番号を受信した基地局では、この指定番号に対応する接続先相手の電話番号を予め記憶したメモリから、前記対応する接続先相手の電話番号を読み出すステップと、この接続先相手の電話番号に前記ＰＨＳ端末を接続するステップとを備えることを特徴とするものである。
【００１０】
また、本発明のＰＨＳ基地局装置は、登録された接続相手先の電話番号とＰＨＳ端末から発信される指定番号の対応関係を記憶するメモリと、
ＰＨＳ端末からの発信が、登録されている電話番号を指定した発信か否かを判断する電話番号選択手段と、
登録されている接続相手先の電話番号を回線ユニットへ通知する機能を有する発信制御手段とを有することを特徴とするものである。
【００１１】
【発明の実施の形態】
以下本発明の実施形態について、図を参照して説明する。
【００１２】
図１に本実施形態のＰＨＳ基地局４２の構成例を示す。
【００１３】
図に示すように、ＰＨＳ基地局４２はアンテナ１１、無線ユニット１２、回線ユニット１３、メモリ１４および制御部１５を有し、Ｉ’回線１６に接続される。制御部１５は、電話番号選択手段１５ａと発信制御手段１５ｂを有する。
【００１４】
ＰＨＳ端末４１からの発信は、無線区間を経てアンテナ１１を介して無線ユニット１２で受信され、制御部１５で解析された後、制御部１５が接続先相手電話番号を回線ユニット１３へ通知し、Ｉ’回線１６に発呼が行われる。
【００１５】
本発明においては、メモリ１４に、あらかじめ接続相手先の電話番号とＰＨＳ端末から発信される指定番号の対応関係を登録しておく。ＰＨＳ端末４１からの発信があったときは、制御部１５にある電話番号選択手段１５ａにより、ＰＨＳ基地局内に登録してある電話番号を指定した発信か否かを判断する。指定した発信か否かは、ＰＨＳ端末４１からの発信が、例えば、特殊記号“＃”で始まるか否かで判断する。電話番号選択手段１５ａにより、指定した発信であると判断されると、指定番号がメモリ１４に有るか無いかを調べる。指定番号がメモリ１４に存在するときは、制御部１５にある発信制御手段１５ｂが、登録されている接続相手先の電話番号を回線ユニット１３へ通知し、Ｉ’回線１６に発呼が行われる。
【００１６】
図２はＰＨＳ基地局４２における接続先選択方法を示すフローチャートである。
【００１７】
ＳＴ２１でＰＨＳ端末４１からの発呼が指定発呼であるかどうかのチェックを行う。指定発呼でなければ、ＳＴ２７へ進み、通常発呼を行い、処理を終了する。指定発呼であるときは、ＳＴ２２で指定番号の有無の検索を行う。検索結果により、ＳＴ２３で指定番号が発見できないときは、ＳＴ２６で異常処理を行う。指定番号を発見したときは、ＳＴ２４で指定番号に対応する接続先相手電話番号をメモリから取り出し、ＳＴ２５で発信処理を行う。
【００１８】
図３は発呼手順のシーケンスを示す。
【００１９】
ＰＨＳ端末４１〜ＰＨＳ基地局４２の間はＲＣＲ  ＳＴＤ２８に従った呼制御、ＰＨＳ基地局４２〜Ｉ’回線１６の間はＱ９３１ｂの規格に従っている。
【００２０】
ＳＴ３１で、ＰＨＳ端末４１から呼設定メッセージを受信すると、ＰＨＳ基地局４２は呼設定受付メッセージをＰＨＳ端末４１に返送する。ここで、ＰＨＳ端末４１からの呼設定メッセージは、特殊記号＃に続く指定番号１１から構成される、＃１１であるものとする。ＳＴ３２で、ＰＨＳ端末４１からの呼設定メッセージ＃１１に対応する登録済みの接続先相手電話番号を検索する。ここで、呼設定メッセージ＃１１には、接続先相手電話番号０１２３４５６７８９が対応しているものとする。このとき、検索結果は０１２３４５６７８９であるので、ＳＴ３３でＩ’回線に向けて、着信番号０１２３４５６７８９の呼設定を送出する。このようにして、ＰＨＳ基地局に登録されている接続先相手電話番号を、ＰＨＳ端末が指定して発信することができる。
【００２１】
【発明の効果】
本発明によれば、ＰＨＳ基地局に予め接続先相手電話番号を登録しておき、ＰＨＳ端末からは、基地局に登録してある相手先電話番号を指定し発信することによって、ＰＨＳ端末を取り替えた場合のＰＨＳ端末への電話番号の再登録や、複数の端末へ同じ登録をすることなく、相手先を指定して発信することができる。
【図面の簡単な説明】
【図１】本発明のＰＨＳ基地局の構成例を示す図。
【図２】本発明のＰＨＳ基地局における接続先選択方法を示すフローチャートを示す図。
【図３】本発明による発呼手順のシーケンスを示す図。
【図４】従来のＰＨＳシステムの構成を示すブロック図。
【符号の説明】
１１  アンテナ
１２  無線ユニット
１３  回線ユニット
１４  メモリ
１５  制御部
１５ａ  電話番号選択手段
１５ｂ  発信制御手段
１６  Ｉ’回線
４１  ＰＨＳ端末（ＰＳ）
４２  ＰＨＳ基地局
【図１】
2004289735.tif 000003
【図２】
2004289735.tif 000004
【図３】
2004289735.tif 000005
【図４】
2004289735.tif 000006